(57)【要約】【課題】  本発明は、手動変速モードスイッチの故障を判定し、該スイッチの故障後でも、自動変速モードから手動変速モードに変更される自動変速機の変速モード制御装置を提供する。【解決手段】  少なくとも自動変速モードスイッチＤと、アップ・ダウン変速要求スイッチＳｕ、Ｓｄを含む手動変速モードスイッチＭとを備えた変速操作装置を有し、自動変速機の変速モードを制御する電子制御装置は、スイッチＤとスイッチＳｕ、ＳｄとによりスイッチＭの故障を検出したとき、自動変速から手動変速へのモード変更条件又は手動変速から自動変速へのモード変更条件を、スイッチＭとスイッチＳｕ、Ｓｄの入力状態に応じて切り換え制御する。スイッチＭの故障が検出されないときには、スイッチＤとスイッチＭの入力状態で変速モードを変更する。【選択図】      図３
2006292022.tif 000002
【特許請求の範囲】
【請求項１】
自動変速機の変速モードを制御する電子制御装置と、
少なくとも自動変速モードスイッチと、アップ・ダウン変速要求スイッチを含む手動変速モードスイッチとを備えた変速操作装置と、を有し、
前記電子制御装置は、前記手動変速モードスイッチの故障を検出したとき、自動変速から手動変速へのモード変更条件又は手動変速から自動変速へのモード変更条件を、自動変速モードスイッチとアップ・ダウン変速要求スイッチの入力状態に応じて切り換え、前記自動変速機の変速モードを制御することを特徴とする自動変速機の変速モード制御装置。
【請求項２】
前記電子制御装置は、自動変速モードスイッチのオン、手動変速モードスイッチのオフ、且つ、前記アップ・ダウン変速要求スイッチのオンを検知したとき、該手動変速モードスイッチの断線故障を判定することを特徴とする請求項１に記載の自動変速機の変速モード制御装置。
【請求項３】
前記変速操作装置が、停止モードスイッチ、後進モードスイッチ、中立モードスイッチを少なくとも一つさらに備えている場合であって、
前記電子制御装置は、前記停止モードスイッチ、前記後進モードスイッチ、前記中立モードスイッチ、前記自動変速モードスイッチの少なくともいずれか一つのオンを検知したとき、前記手動変速モードスイッチのオンを検知した場合に、該手動変速モードスイッチの短絡故障を判定することを特徴とする請求項１に記載の自動変速機の変速モード制御装置。
【請求項４】
前記電子制御装置は、前記手動変速モードスイッチの故障を判定したとき、自動変速制御から手動変速制御への変速モード変更条件を、前記自動変速モードスイッチのオン、且つ、前記アップ・ダウン変速要求スイッチのオンとすることを特徴とする請求項１乃至３のいずれか一項に記載の自動変速機の変速モード制御装置。
【請求項５】
前記電子制御装置は、前記手動変速モードスイッチの故障を判定したとき、手動変速制御から自動変速制御への変速モード変更条件を、前記自動変速モードスイッチのオン、且つ、前記手動変速モードスイッチのオンからオフに変化時であることから、前記自動変速モードスイッチのオフ、且つ、前記変速操作装置に備えられた停止モードスイッチ、後進モードスイッチ、中立モードスイッチの何れかがオンであることに変更することを特徴とする請求項１乃至３のいずれか一項に記載の自動変速機の変速モード制御装置。
【請求項６】
前記電子制御装置は、前記手動変速モードスイッチの故障を判定したとき、手動変速制御から自動変速制御への変速モード変更条件を、前記自動変速モードスイッチのオン、且つ、前記手動変速モードスイッチのオンからオフに変化時であることから、停車状態を検出後、前記変速操作装置に少なくとも一つ備えられた停止モードスイッチ、後進モードスイッチ、中立モードスイッチの何れか一つがオンとされたことを検知できた場合とすることを特徴とする請求項１乃至３のいずれか一項に記載の自動変速機の変速モード制御装置。
【請求項７】
前記電子制御装置は、前記手動変速モードスイッチの故障を判定したとき、手動変速制御から自動変速制御への変速モード変更条件を、前記自動変速モードスイッチのオン、且つ、停車状態の検出された場合とすることを検知できた場合とすることを特徴とする請求項１乃至３のいずれか一項に記載の自動変速機の変速モード制御装置。
【請求項８】
前記電子制御装置は、前記手動変速モードスイッチの故障を判定したとき、該故障の報知を指示することを特徴とする請求項２乃至７のいずれか一項に記載の自動変速機の変速モード制御装置。
【請求項９】
前記電子制御装置は、前記手動変速モードスイッチの断線故障を判定したとき、前記自動変速モードスイッチのオンであり、且つ、前記手動変速モードスイッチがオフからオンに変化したことを検知した場合、該手動変速モードスイッチが正常状態に復帰したと判定することを特徴とする請求項２乃至８のいずれか一項に記載の自動変速機の変速モード制御装置。
【請求項１０】
前記電子制御装置は、前記手動変速モードスイッチの短絡故障を判定したとき、前記自動変速モードスイッチのオンであり、且つ、前記手動変速モードスイッチがオンからオフに変化したことを検知した場合、該手動変速モードスイッチが正常状態に復帰したと判定することを特徴とする請求項３乃至８のいずれか一項に記載の自動変速機の変速モード制御装置。
【請求項１１】
前記電子制御装置は、前記手動変速モードスイッチが正常状態に復帰したと判定できた場合、正常復帰の報知を指示することを特徴とする請求項９又は１０に記載の自動変速機の変速モード制御装置。
【請求項１２】
前記電子制御装置は、前記自動変速から前記手動変速へのモード変更条件又は前記手動変速から前記自動変速へのモード変更条件を切り換えたとき、該切り換えの報知を指示することを特徴とする請求項１乃至１１のいずれか一項に記載の自動変速機の変速モード制御装置。
【発明の詳細な説明】
【技術分野】
【０００１】
本発明は、自動変速機の変速モード制御装置に関し、特に、車両に搭載されたエンジンに連結された自動変速機の制御であり、該変速機に関わるレバーの操作に連動する変速モードスイッチの入力状態を検知して、種々の変速モードに切り換えられる場合であって、手動変速モードスイッチの故障を判定することができ、故障判定後においても、手動変速モードで変速制御することができる自動変速機の変速モード制御装置に関する。
【背景技術】
【０００２】
従来から使用されている無段変速機は、入力部材と出力部材との間に設けられている伝動機構の状態を変化させることにより、これら入力部材と出力部材との回転数の比率を連続的に、即ち、無段階に変更できるように構成された動力伝達装置である。ベルト式無段変速機やトロイダル式無段変速機などが知られている。この種の無段変速機を搭載した車両では、走行中に変速比を適宜に変更することにより、無段変速機の入力側の回転数、即ち、エンジン回転数を燃費が最小となる回転数に設定できるので、車両の燃費を向上させることができる。
【０００３】
燃費を重視した無段変速機の制御は、要求駆動力や車速などの車両の運転状態に基づいて自動的に実行することになるが、その制御は、飽くまでも燃費を重視した制御となるので、必ずしも運転者の意図した加速力や制動力を得ることができない。そこで、変速比の制御の自由度を高めて意図した加速力や制動力を得るために、手動操作に基づいて無段変速機の変速比を変更するように構成した制御装置が、従来、開発されている。
【０００４】
その一例として、シフトレバー装置の操作ストロークをポテンショメータで検出し、そのシフトレバー装置のハイポジション側からローポジション側へのストローク量が多いほど、無段変速機による最小トルク比を大きく設定するように構成されている。ここで、トルク比は、無段変速機の変速比に相当する比率若しくは変速比に応じて増減する比率となっている。この制御装置では、変速比を走行状態に基づいて自動的に設定する運転（Ｄ）レンジと、変速比を手動操作によって設定する手動（Ｍ）レンジとを選択できることに加えて、Ｍレンジでは、変速比の下限値を任意に設定することができる。
【０００５】
ところで、自動変速モードであるＤポジションと手動変速モードであるＭポジションとを切り換えるための操作系と、変速レンジを選択するための操作系とを備えた自動変速機が近年知られている（例えば、特許文献１を参照のこと）。その自動変速機の変速モード制御装置の構成例を、図４に示し、以下に、その自動変速機の変速モード制御装置について説明する。
【０００６】
図４には、変速モード制御装置で制御される動力伝達系統の全体構成例が示されており、車両の駆動力源であるエンジン１が、自動変速機２に連結され、その変速機２の出力軸が、ディファレンシャルギア３を介して左右の駆動輪（図示なし）に連結されている。ここで、エンジン１は、ガソリンエンジンやディーゼルエンジンなどの内燃機関、或いは、モータなどの電動機、さらには、これら内燃機関と電動機とを組み合わせた装置など、車両に使用可能な種々の駆動力源を含む。図４に示した駆動力減として、スロットル開度を電気的に制御する電子スロットルバルブを備え、かつ燃料をシリンダの内部に直接噴射し、その噴射量およびタイミングを制御することにより均質燃焼や成層燃焼の可能な直噴ガソリンエンジンを採用することができる
【０００７】
このエンジン１は、電気的に制御できるように構成されており、その制御のためのマイクロコンピュータを主体とする電子制御装置（ＥＣＵ１）４が設けられている。この電子制御装置４は、少なくともエンジン１の出力を制御するように構成されており、その制御のためのデータとして、例えば、エンジンの出力軸回転数（エンジン回転数）やアクセル開度θが入力され、その他にも、エンジン制御に必要な制御情報が入力される。
【０００８】
これらのエンジン回転数やアクセル開度は、エンジン１の出力の増大・減少のための主要な信号であり、運転者が操作するアクセルペダルなどの加減速操作装置７の操作量信号やその操作量を電気的に処理して得た信号を採用することができ、またそれ以外に、電子スロットルバルブの開度制御信号や、車速を設定車速に維持するためのクルーズコントロールシステム（図示せず）などからの制御要求信号を含む。
【０００９】
また、自動変速機２は、流体伝動機構２１と、歯車変速機構２２と、無段変速機（ＣＶＴ）２３とから構成されている。その流体伝動機構２１は、オイルなどの流体を介して入力側の部材と出力側の部材との間でトルクを伝達するように構成され、一例として、一般の車両に採用されているトルクコンバータを挙げることができる。また、この流体伝動機構２１内には、直結クラッチが備えられている。この直結クラッチは、入力側の部材と出力側の部材とを摩擦板などの機械的手段で直接連結するように構成されたクラッチであって、緩衝をおこなうためのコイルスプリングなどの弾性体からなるダンパーも備えられている。
【００１０】
その流体伝動機構２１の入力部材がエンジン１の出力部材に連結され、また、流体伝動機構８の出力部材が歯車変速機構２２の入力部材に連結されている。この歯車変速機構２２は、複数の歯車を有し、それらの歯車によって形成されるトルクの伝達経路を変更することにより、入力部材と出力部材との回転数の比率すなわち変速比を適宜に変更し、また、出力部材を入力部材に対して反対方向に回転させるように構成されている。
【００１１】
この歯車変速機構２２として、例えば、シングルピニオン型遊星歯車機構やダブルピニオン型遊星歯車機構もしくはラビニョ型遊星歯車機構を用いた機構、あるいは常時噛み合っている複数対のギヤ対を同期連結機構（シンクロナイザー）によって選択的に出力部材や入力部材に連結するように構成された機構などを採用することができる。
【００１２】
なお、この歯車変速機構２２は、無段変速機２３で設定できる変速比の幅が小さいことと、無段変速機２３では、構造上、その出力部材を入力部材に対して反対方向に回転させるいわゆる後進機能がないこととを補うために設けられている。従って、無段変速機２３で設定可能な変速比が、車両に対する要求を満たす場合には、歯車変速機構２２として後進機能のみを備えた機構を採用してもよい。
【００１３】
図４に示した無段変速機１０は、その入力部材の回転数と出力部材の回転数との比率、即ち、変速比を無段階に（連続的に）変化させることのできる機構であり、前述したベルト式無段変速機やトロイダル式無段変速機などを採用することができる。なお、無段変速機の代わりに、有段変速機が使用される場合もある。
【００１４】
自動変速機構２における直結クラッチの係合・解放並びに滑りを伴う半係合の各状態の制御及び歯車変速機構２２での変速比の制御並びに無段変速機２３での変速比の制御は、基本的には、車両の走行状態に基づいて制御されるようになっている。その制御のためには、マイクロコンピュータを主体として構成された電子制御装置（ＥＣＵ２）５が設けられている。
【００１５】
この電子制御装置５は、前述したエンジン用の電子制御装置４とデータ通信可能に連結される一方、制御に必要なデータとして、車速検出器８で検出された車速や、出力回転数検出器９で検出された自動変速機２の出力回転数などのデータが入力される。また、自動変速機２を、停止状態（パーキング：Ｐ）、後進状態（リバース：Ｒ）、中立状態（ニュートラル：Ｎ）、車両の走行状態に応じて変速比を自動的に設定する前進運転状態（ドライブ：Ｄ）、変速状態を手動操作で設定可能な手動変速運転状態（マニュアル：Ｍ）の各状態を選択する変速操作装置であるシフト装置１０が設けられており、このシフト装置１０が電子制御装置１５に電気的に連結されている。また、シフト装置１０によって手動変速モードを選択した場合には、変速比幅（変速レンジ）を適宜に設定することができるように構成されており、その変速レンジのアップ・ダウンを選択するレンジ選択装置１１が設けられている。
【００１６】
シフト装置１０は、運転席の近傍のフロアーやインストルメントパネル或いはステアリングコラムに設けられたシフトレバー、シフトアーム又はダイヤル、さらには、スティックなどの手動操作装置によって、前述した各変速状態を選択でき、かつ、その選択された各変速状態に応じた信号を出力するように構成されている。その一例を挙げると、シフトレバーによって、各変速状態を選択できるように構成された装置が一般的であり、そのシフト装置におけるシフトポジションの配列の一例を、図５に示した。
【００１７】
図５には、オートマチック車に備えられた変速操作装置における各状態に対応したレバー操作位置が示されている。ここで、Ｐ、Ｒ、Ｎ、Ｄの各符号で示された四角枠は、停止状態のパーキングポジジョン、後進状態のリバースポジション、中立状態のニュートラルポジション、前進運転状態のドライブポジションのそれぞれを示しており、これらの各ポジションが直線的に配列され、これらにより、シフト装置１０が構成されている。シフト装置１０のレバーを直線的に移動させることにより、これらの各シフトポジションを選択できるようになっている。
【００１８】
各ポジションには、レバー操作によりオン（通電）とオフ（非通電）とに作動するスイッチが配置され、各スイッチの入力状態が、電子制御装置に送信されている。停止状態のパーキングポジジョンには、停止モードスイッチＰ、後進状態のリバースポジションには、後進モードスイッチＲ、中立状態のニュートラルポジションには、中立モードスイッチＮ、前進運転状態のドライブポジションには、自動変速モードスイッチＤがそれぞれ設けられている。当該ポジションがレバー操作で選択されると、当該スイッチがオンとなり、このオン動作によって、選択されたモード信号が電子制御装置５に送信される。
【００１９】
また、前述したような自動変速モードでは得られない駆動力や制動力を、人為的に設定するために、手動変速モードが用意されている。この手動変速モードを選択できるようにするため、各ポジションの配列方向に対して直交する方向であり、ドライブポジションから屈曲した位置に、手動運転状態（マニュアル：Ｍ）とするためのポジションが設けられ、レンジ選択装置１１が構成される。このマニュアルポジションには、手動変速モードスイッチＭ が設けられており、シフトレバーをこのマニュアルポジションに移動させることにより、そのスイッチＭ がオン動作させられ、手動変速モードが選択されたことを示す信号が出力される。
【００２０】
このマニュアルポジションを挟んで、パーキング乃至ドライブの各ポジションの配列方向と平行な方向に、アップポジション（ｕ）とダウンポジション（ｄ）とが設けられている。これらのアップポジションとダウンポジションとのそれぞれには、シフトレバーによってオン動作させられるアップ変速要求スイッチＳｕと、ダウン変速要求スイッチＳｄとが設けられている。
【００２１】
アップ変速要求スイッチＳｕは、オン動作させられることにより、設定可能な変速比の下限値即ち高速側の変速比の限界値を低下させて変速比幅を増大させる信号を出力し、また、ダウン変速要求スイッチＳｄは、これとは反対に、オン動作させられることにより、設定可能な変速比の下限値すなわち高速側の変速比の限界値を増大させて変速比幅を減少させる信号を出力するように構成されている。
【００２２】
ここで、シフトレバーをドライブポジションの位置にすると、自動変速モードスイッチＤがオン動作するが、そこで、シフトレバーを右側方向に移動させてマニュアルポジションにすると、自動変速モードスイッチＤがオン動作のままで、手動変速モードスイッチＭがオン動作するように構成され、この構成によって、アップ・ダウン変速モードの選択を有効化している。なお、レンジ選択装置１１を、シフト装置１０のドライブポジションに併設されることに加えて、例えば、手動操作によるアップ変速要求スイッチＳｕとダウン変速要求スイッチＳｄとステアリングホイールに設けるようにすると、運転者の利便性を向上することができる。
【００２３】
次に、図６には、図４に示された自動変速機の制御装置における自動変速モードから手動変速モードへ、又は、手動変速モードから自動変速モードへの変更処理に関するフローチャートが示されている。そこで、このフローチャートを参照して、変更処理の手順について説明する。
【００２４】
先ず、電子制御装置５は、運転者によるシフトレバーの移動位置をシフト装置１０から検出する。このとき、停止モードスイッチＰ、後進モードスイッチＲ、中立モードスイッチＮ、自動変速モードスイッチＤのうち、自動変速モードスイッチＤのみが、オン動作しているかどうかを判断する（ステップＳ１）。ここでは、スイッチＰ、Ｒ、Ｎがオン動作しているときには、変速モードの変更処理を必要としない。
【００２５】
次いで、スイッチＤのみがオン動作でない場合、即ち、スイッチＰ、Ｒ、Ｎのいずれかがオン動作している場合には（ステップＳ１のＮ）、変速モードの変更処理が必要ないことを示し、変速モードを変更せず、停止モード、後進モード、自動変速モードのいずれかが設定されている（ステップＳ６）。
【００２６】
一方、スイッチＤのみがオン動作である場合、即ち、シフトレバーがドライブポジションにある場合には（ステップＳ１のＹ）、このときに、スイッチＭがオフ動作からオン動作に変化したかどうかが判断される（ステップＳ２）。
【００２７】
ここで、スイッチＭが、オフ動作からオン動作に変化したことが検出された場合には（ステップＳ２のＹ）、運転者が、手動変速モードに変更することを希望しているとして、変速モードを、自動変速モードから手動変速モードに切り換える制御が行われる（ステップＳ３）。
【００２８】
そこで、運転者は、手動変速モードになったことを受けて、アップ変速要求モード又はダウン変速要求モードを選択することができ、車両を手動運転状態に移行して走行させる。また、この状態において、電子制御装置５は、スイッチＭがオン動作からオフ動作に変化したかどうかを判断する（ステップＳ４）。
【００２９】
スイッチＭについて、オン動作からオフ動作に変化したことが検出されない場合には（ステップＳ４のＮ）、スイッチＤがオン動作し、スイッチＭがオン動作のままであるだけであり、運転者が、自動変速モードで走行している状態であるので、変速モードは変更されない（ステップＳ６）。
【００３０】
スイッチＭが、オン動作からオフ動作に変化したことが検出された場合には（ステップＳ４のＹ）、運転者がシフトレバーを操作して、手動変速モードから自動変速モードに切り換えたことを意味し、電子制御装置５は、変更モードを、手動変速モードから自動変速モードに切り換える制御を行う（ステップＳ５）。このとき、スイッチＰ、スイッチＲ、スイッチＮのいずれかがオン動作したことを検出してもよい。
【００３１】
この様に、図６のフローチャートの処理手順に従って、自動変速機の制御装置における自動変速モードから手動変速モードへ、又は、手動変速モードから自動変速モードへの変更処理が行われ、運転者は、シフトレバーの操作により、必要とする変速モードを適宜選択して、車両を快適走行させることができる。
【００３２】
【特許文献１】特開２００１−２２１３３８号公報
【発明の開示】
【発明が解決しようとする課題】
【００３３】
以上に説明した自動変速機の変速モード制御装置における自動変速モードから手動変速モードへの変更処理の制御においては、自動変速モードから手動変速モードへの変更条件として、自動変速モードスイッチＤがオン動作中であり、かつ、手動変速モードスイッチＭがオフ動作からオン動作に変化したことを検出することであった。そして、手動変速モードに移行後においては、アップ又はダウンシフトの変速要求を、シフトレバーの操作により、アップ変速要求スイッチＳｕ又はダウン変速要求スイッチＳｄをオン動作させることで行っている。
【００３４】
つまり、自動変速モードから手動変速モードへの移行と、その後の変速制御の実行とにおいては、自動変速モードスイッチＤ、手動変速モードスイッチＭ、アップ変速要求スイッチＳｕ又はダウン変速要求スイッチＳｄの全てが正常に動作することが、前提条件になっている。そこで、スイッチＭに異常があった場合には、運転者の運転操作上、次に説明するような不都合が発生する。
【００３５】
運転者は、車両を運転するとき、先ず、シフトレバーがパーキングポジションにあることを確かめ、停止モードスイッチＰがオン動作しているとき、エンジンを始動する。エンジンが始動したならば、シフトレバーを操作して、自動変速モードスイッチＤをオン動作させ、アクセルを踏み込んで、発進させ、さらに、加速運転を行う。電子制御装置は、自動変速モードで、自動変速機をアップシフトし、４速の出力制御を行う。
【００３６】
自動変速運転している途中で、運転者が、例えば、上り坂を走行するため、運転状態を手動変速モードに変更したい場合、シフトレバーをドライブポジションからマニュアルポジションにシフトさせたとき、自動変速モードスイッチＤは、オン動作のままであるが、手動変速モードスイッチＭが故障しているため、スイッチＭは、オン動作にならない。
【００３７】
しかし、運転者は、スイッチＭの故障を知らないため、レバー操作により手動変速モードに移行したものと思い、レバー操作して、ダウン変速モードにシフトさせる。ところが、電子制御装置では、ダウン変速要求スイッチＳｄがオン動作しても、スイッチＭのオン動作を検知できないので、自動変速機を手動変速モードに移行して変速制御せず、自動変速モードのままで制御を続ける。
【００３８】
そのため、１回のダウン変速要求スイッチのオン動作で上限変速段が１段減少される場合にあっては、運転者は、ダウンシフトしないことに気づき、レバー操作を再度操作し、マニュアルポジションに戻してからダウン変速モードにシフトさせてみる。この様なレバー操作を繰り返しても、ダウンシフトしないと感じたときに始めて、レバー操作系に異常があるのではないかと気づく。そこで、車両の速度を減速させ、停車させてから異常チェックをすることになる。
【００３９】
以上では、スイッチ自体の故障が断線（非導通）の場合であるが、その故障が短絡（導通）の場合でも問題が発生する。つまり、電子制御装置が、手動変速モードに移行し続けていると判断し、自動変速機の変速制御を誤って実行してしまう可能性がある。この様に、運転者にとっては、手動変速モードスイッチの故障について的確に把握することが難しいため、故障に気づくまでに無駄なレバー操作を行うことになる。さらには、スイッチ自体の故障によって、運転性能を低下させるばかりでなく、運転の安全性を損なうことにもなりかねない。
【００４０】
そこで、本発明は、自動変速機の変速制御装置の制御ロジックを改良して、アップ変速要求スイッチ又はダウン変速要求スイッチの入力状態から、手動変速モードスイッチの信号状態を検出し、該スイッチが断線又は短絡している状態でも、運転者が要求する自動変速モードから手動変速モードへの変更することができ、該変更後においてもアップ変速要求モード又はダウン変速要求モードに制御できる自動変速機の変速モード制御装置を提供することを目的とする。
【課題を解決するための手段】
【００４１】
以上の課題を解決するため、本発明では、自動変速機の変速モード制御装置において、自動変速機の変速モードを制御する電子制御装置と、少なくとも自動変速モードスイッチと、アップ・ダウン変速要求スイッチを含む手動変速モードスイッチとを備えた変速操作装置とを有し、前記電子制御装置は、前記手動変速モードスイッチの故障を検出したとき、自動変速から手動変速へのモード変更又は手動変速から自動変速へのモード変更条件を、自動変速モードスイッチとアップ・ダウン変速要求スイッチの入力状態に応じて切り換えるようにして、前記自動変速機の変速モードを制御することとした。
【００４２】
前記電子制御装置は、自動変速モードスイッチのオン、手動変速モードスイッチのオフ、且つ、前記アップ・ダウン変速要求スイッチのオンを検知したとき、該手動変速モードスイッチの断線故障を判定することとした。
【００４３】
また、前記変速操作装置が、停止モードスイッチ、後進モードスイッチ、中立モードスイッチを少なくとも一つさらに備えている場合であって、前記電子制御装置は、前記停止モードスイッチ、前記後進モードスイッチ、前記中立モードスイッチ、前記自動変速モードスイッチの少なくともいずれか一つのオンを検知したとき、前記手動変速モードスイッチのオンを検知した場合に、該手動変速モードスイッチの短絡故障を判定することとした。
【００４４】
前記電子制御装置は、前記手動変速モードスイッチの故障を判定したとき、自動変速制御から手動変速制御への変速モード変更条件を、前記自動変速モードスイッチのオン、且つ、前記アップ・ダウン変速要求スイッチのオンとすることとした。
【００４５】
前記電子制御装置は、前記手動変速モードスイッチの故障を判定したとき、手動変速制御から自動変速制御への変速モード変更条件を、前記自動変速モードスイッチのオン、且つ、前記手動変速モードスイッチのオンからオフへの変化時から、前記自動変速モードスイッチのオフ、且つ、前記変速操作装置に備えられた停止モードスイッチ、後進モードスイッチ、中立モードスイッチの何れかがオンであることに変更することとした。
【００４６】
前記電子制御装置は、前記手動変速モードスイッチの故障を判定したとき、手動変速制御から自動変速制御への変速モード変更条件を、前記自動変速モードスイッチのオン、且つ、前記手動変速モードスイッチのオンからオフに変化時から、停車状態を検出後、前記変速操作装置に少なくとも一つ備えられた停止モードスイッチ、後進モードスイッチ、中立モードスイッチの何れか一つがオンとされたことを検知できた場合とすることとした。
【００４７】
前記電子制御装置は、前記手動変速モードスイッチの故障を判定したとき、手動変速制御から自動変速制御への変速モード変更条件を、前記自動変速モードスイッチのオン、且つ、停車状態の検出された場合とすることを検知できた場合とすることとした。
【００４８】
前記電子制御装置は、前記手動変速モードスイッチの故障を判定したとき、該故障の報知を指示することとした。
【００４９】
前記電子制御装置は、前記手動変速モードスイッチの断線故障を判定したとき、前記自動変速モードスイッチのオンであり、且つ、前記手動変速モードスイッチがオフからオンに変化したことを検知した場合、該手動変速モードスイッチが正常状態に復帰したと判定することとした。
【００５０】
前記電子制御装置は、前記手動変速モードスイッチの短絡故障を判定したとき、前記自動変速モードスイッチのオンであり、且つ、前記手動変速モードスイッチがオンからオフに変化したことを検知した場合、該手動変速モードスイッチが正常状態に復帰したと判定することとした。
【００５１】
前記電子制御装置は、前記手動変速モードスイッチが正常状態に復帰したと判定できた場合、正常復帰の報知を指示することとした。
【００５２】
前記電子制御装置は、前記自動変速から前記手動変速へのモード変更条件又は前記手動変速から前記自動変速へのモード変更条件を切り換えたとき、該切り換えの報知を指示することとした。
【発明の効果】
【００５３】
従来のシフトレバーとスイッチ構造と自動変速機の変速モード制御装置の制御ロジックにおいては、手動変速モードスイッチに断線又は短絡の異常が発生している場合、アップ変速要求スイッチ又はダウン変速要求スイッチが正常に作動可能であっても、出力変速段の変更や、出力上限変速段の変更を行うことができず、手動変速モードを備えていることによるメリット、例えば、マニュアルシフト感覚での走行できることを享受できない。
【００５４】
また、エンジンブレーキの有無を、自動変速モード又は手動変速モードで切り分けている場合などでは、手動変速モードスイッチが故障しているときには、ダウンシフト要求を行っても、エンジンブレーキの効果を得ることができなかいばかりか、安全性能も低下することになった。
【００５５】
そこで、上述した構成を有する本発明によれば、手動変速モードスイッチが故障した場合に、自動変速モードと手動変速モードとの変更の仕方を切り換えることにより、運転者が、手動変速モードスイッチが正常状態であるときと同様に、アップ変更要求モード又はダウン変速要求モードへの変更操作を行うことができ、マニュアルシフト感覚が得られるばかりか、安全性能を損なうことなく車両の走行が可能となる。
【００５６】
また、電子制御装置が、レバー及びスイッチの構造上、有り得ない信号入力パターンを検出するようにしたので、手動変速モードスイッチの故障検出を正確に行うことができる。そして、手動変速モードスイッチからの入力信号の正常な変化を検出することにより、該スイッチが正常復帰したことを正確に検出することができ、運転者に本来の走行性能を提供することができる。
【００５７】
さらに、手動変速モードスイッチの故障又は正常復帰、及び変速モード変更条件の変更を運転者に報知するようにしたので、運転者に安全運転を促すことができる。
なお、自動変速機に、無段変速機と有段変速機のどちらが使用されている場合であっても、本発明は、上述と同様の効果を奏する。
【発明を実施するための最良の形態】
【００５８】
次に、本発明による自動変速機の変速モード制御装置に係る実施形態について、図を参照しながら説明する。本実施形態の変速モード制御装置は、図４に示された自動変速機の変速制御装置に適用することができるものであり、その変速モード制御ロジックは、変速制御装置に備えられた電子制御装置において実行される。
【００５９】
従前の自動変速機に対する変速制御ロジックでは、手動変速モードスイッチに断線又は短絡の異常が発生している場合に、アップ変速要求スイッチ又はダウン変速要求スイッチが正常に作動することが可能でも、出力変速段の変更や、出力上限変速段の変更を行うことができず、手動変速モードを備えているのに、例えば、マニュアルシフト感覚での走行ができない。或いは、エンジンブレーキの有無を、自動変速モード又は手動変速モードで切り分けている場合などでは、手動変速モードスイッチが故障しているときには、ダウンシフト要求を行っても、エンジンブレーキの効果を得ることができないものであった。
【００６０】
そこで、本実施形態による自動変速機に対する変速モード制御では、手動変速モードスイッチが故障した場合に、自動変速モードと手動変速モードとの変更の仕方を切り換えることにより、運転者が、手動変速モードスイッチが正常状態であるときと同様に、アップ変更要求モード又はダウン変速要求モードへの変更操作を行うことができるようにした。
【００６１】
また、電子制御装置が、レバー及びスイッチの構造上、有り得ない信号入力パターンを検出するようにして、手動変速モードスイッチの故障検出を正確に行い、そして、手動変速モードスイッチからの入力信号の正常な変化を検出することにより、該スイッチが正常復帰したことを正確に検出することができるようにした。さらに、手動変速モードスイッチの故障又は正常復帰、及び変速モード変更条件の変更を運転者に報知するようにした。
【００６２】
先ず、図４に示された電子制御装置５において、レンジ選択装置１１に備えられている手動変速モードスイッチＭの断線故障に係る判定の仕方と、スイッチＭの故障復帰の判定動作を、図１のフローチャートを参照しながら説明する。
【００６３】
電子制御装置５は、現時点において、手動変速モードスイッチＭが断線（ＯＦＦ）故障であることを検出しているかどうか判断する（ステップＳ１１）。ここで、既に、スイッチＭの断線故障を検出している場合には（ステップＳ１１のＹ）、シフト装置１０における自動変速モードスイッチＤのみがオン動作であるかどうかを判断する（ステップＳ１２）。
【００６４】
スイッチＤのみがオン動作している場合（ステップＳ１２のＹ）、さらに、スイッチＭがオフ動作からオン動作に変化しているかどうかを判断する（ステップＳ１３）。スイッチＭがオフ動作からオン動作に変化している場合には（ステップＳ１３のＹ）、スイッチＭの断線故障無しと判定する（ステップＳ１４）。ここで、スイッチＭが、正常動作に復帰していることが確認されたことになる。
【００６５】
ステップＳ１２において、スイッチＤのみがオン動作していない場合（ステップＳ１２のＮ）、さらには、ステップＳ１３において、スイッチＤのみがオン動作であっても、スイッチＭがオフ動作からオン動作に変化していない場合には（ステップＳ１３のＮ）、スイッチＭが復帰しているかどうかの判定動作を終了する。
【００６６】
一方、ステップＳ１１において、現時点で、スイッチＭの断線故障が検出されていない場合には（ステップＳ１１のＮ）、スイッチＤのみがオン動作であるかどうかを判断する（ステップＳ１５）。ここで、スイッチＤのみがオン動作している場合（ステップＳ１５のＹ）、アップ変速要求スイッチＳｕ又はダウン変速要求スイッチＳｄのオフ動作からオン動作への変化時であるかどうかが判断される（ステップＳ１６）。
【００６７】
次いで、スイッチＳｕ又はスイッチＳｄのオフ動作からオン動作への変化時である場合には（ステップＳ１６のＹ）、スイッチＭがオフ動作になっているかどうかが判断される（ステップＳ１７）。ここで、スイッチＭがオフ動作になっている場合には（ステップＳ１７）、スイッチＭに断線故障が有ると判定する（ステップＳ１８）。そこで、スイッチＭに関する断線故障の判定動作を終了するとともに、運転者に、スイッチＭの断線故障を報知する。報知の仕方としては、ランプ点灯、パネルへのメッセージ表示、音声通報などが挙げられる。
【００６８】
また、ステップＳ１５において、スイッチＤのみがオン動作していない場合（ステップＳ１５のＮ）、さらには、ステップＳ１６において、スイッチＤのみがオン動作であっても、スイッチＳｕ又はスイッチＳｄのオフ動作からオン動作への変化時でない場合（ステップＳ１６のＮ）、そして、スイッチＭがオフ動作していない場合には（ステップＳ１７のＮ）、スイッチＭの断線故障に係る判定動作を終了する。
【００６９】
以上において、レンジ選択装置１１に備えられている手動変速モードスイッチＭの断線故障に係る判定の仕方と、スイッチＭの故障復帰の判定動作が説明されたが、次に、手動変速モードスイッチＭの短絡（ショート）故障に係る判定の仕方と、スイッチＭの故障復帰の判定動作について、図２のフローチャートを参照して説明する。
【００７０】
電子制御装置５は、現時点において、手動変速モードスイッチＭが短絡（ＯＮ）故障であることを検出しているかどうか判断する（ステップＳ２１）。ここで、既に、スイッチＭの短絡故障を検出している場合には（ステップＳ２１のＹ）、シフト装置１０における自動変速モードスイッチＤのみがオン動作であるかどうかを判断する（ステップＳ２２）。
【００７１】
スイッチＤのみがオン動作している場合（ステップＳ２２のＹ）、さらに、スイッチＭがオン動作からオフ動作に変化しているかどうかを判断する（ステップＳ２３）。スイッチＭがオン動作からオフ動作に変化している場合には（ステップＳ２３のＹ）、スイッチＭの短絡故障無しと判定する（ステップＳ２４）。ここで、スイッチＭが、正常動作に復帰していることが確認されたことになる。
【００７２】
ステップＳ２２において、スイッチＤのみがオン動作していない場合（ステップＳ２２のＮ）、さらには、ステップＳ２３において、スイッチＤのみがオン動作であっても、スイッチＭがオン動作からオフ動作に変化していない場合には（ステップＳ２３のＮ）、スイッチＭが復帰しているかどうかの判定動作を終了する。
【００７３】
一方、ステップＳ２１において、現時点で、スイッチＭの短絡故障が検出されていない場合には（ステップＳ２１のＮ）、停止スイッチＰ、後進スイッチＲ、中立スイッチＮのいずれかがオン動作しているかどうかを判断する（ステップＳ２５）。ここで、スイッチＰ、Ｒ、Ｎのいずれかがオン動作している場合に（ステップＳ２５のＹ）、スイッチＭがオン動作しているかどうかが判断される（ステップＳ２６）。
【００７４】
次いで、スイッチＭのオン動作を検出している場合には（ステップＳ２６のＹ）、スイッチＭに短絡故障有りと判定する（ステップＳ２７）。そこで、スイッチＭに関する短絡故障の判定動作を終了するとともに、運転者に、スイッチＭの短絡故障を報知する。報知の仕方としては、ランプ点灯、パネルへのメッセージ表示、音声通報などが挙げられる。
【００７５】
また、ステップＳ２５において、スイッチＰ、Ｒ、Ｎのいずれもオン動作していない場合（ステップＳ２５のＮ）、さらには、ステップＳ２６において、スイッチＰ、Ｒ、Ｎのいずれかがオン動作していても、スイッチＭがオフ動作している場合には（ステップＳ２６のＮ）、スイッチＭの短絡故障に係る判定動作を終了する。
【００７６】
以上により、レンジ選択装置１１に備えられている手動変速モードスイッチＭの短絡故障に係る判定の仕方と、スイッチＭの故障復帰の判定動作が説明された。次に、このスイッチＭに断線又は短絡の故障があっても、自動変速モードから手動変速モードへ、或いは、手動変速モードから自動変速モードへの切り換えの仕方について、図３のフローチャートを参照しながら説明する。
【００７７】
ここで、先ず、変速モードの切り換えの仕方に採用されている変速モード変更条件について説明する。従前の自動変速機に対する変速制御ロジックでは、自動変速モードから手動変速モードへの切り換えにおいて、自動変速モードスイッチＤがオン動作で、手動変速モードスイッチＭがオフ動作からオン動作に変化することを変速モード変更条件とし、手動変速モードから自動変速モードへの切り換えにおいて、自動変速モードスイッチＤがオン動作で、手動変速モードスイッチＭがオン動作からオフ動作に変化することを変速モード変更条件としている。
【００７８】
この従前の制御ロジックにおける変速モード変更条件では、スイッチＭが正常に作動していることを前提としているため、スイッチＭが故障すると、変速モードの切り換えに支障を来たすものであったので、本実施形態の変速モード制御装置の制御ロジックでは、変速モード変更条件に、スイッチＭが故障している場合には、スイッチＭの作動状態を含めないようにし、他のスイッチの作動状態に基づいた変速モード変更条件とした。
【００７９】
そこで、自動変速モードから手動変速モードへの変速モード変更条件は、スイッチＤがオン動作であるときに、アップ変速要求スイッチＳｕ又はダウン変速要求スイッチＳｄのオフ動作からオン動作への変化時を検出したこととしている。また、手動変速モードから自動変速モードへの変速モード変更条件は、スイッチＤがオン動作からオフ動作になったとき、アップ変速要求スイッチＳｕ又はダウン変速要求スイッチＳｄがオフ動作していることとしている。この様な変速モード変更条件を取り入れた制御ロジックに基づいて、自動変速機の変速モード制御の手順について、以下に説明する。
【００８０】
図３のフローチャートにおいて、先ず、電子制御装置５では、図１及び図２に示された手動変速モードスイッチＭの故障判定の手順に従って、該スイッチＭの短絡又は断線の故障を検出したかどうかの判断が行われる（ステップＳ３１）。ここで、スイッチＭに故障が検出されないときには（ステップＳ３１のＮ）、通常の変速モード変更条件、即ち、図６のフローチャートで示された自動・手動の変速モードの変更動作に従って、自動変速機が変速制御される。
【００８１】
図３のフローチャートにおけるステップＳ３２乃至Ｓ３７のそれぞれは、図６のフローチャートにおけるステップＳ１乃至Ｓ６に対応しており、スイッチＭの故障が検出されないときには、通常の変速モード変更条件と同じ自動・手動の変速モードの変更動作になるため、ここでは、その説明を省略する。
【００８２】
一方、ステップＳ３１において、スイッチＭに故障が検出されたときには（ステップＳ３１のＹ）、スイッチＤのみがオン動作しているかどうかが判断される（ステップＳ４１）。ここで、アップ変速要求スイッチＳｕ又はダウン変速要求スイッチＳｄがオフ動作からオン動作に変化時であるかどうかが判断される（ステップＳ４２）。
【００８３】
スイッチＳｕ又はスイッチＳｄがオフ動作からオン動作に変化時である場合には（ステップＳ４２のＹ）、変速モードを、手動変速モードに変更して、変速制御が行われ（ステップＳ４３）、変速モードの変更処理が、終了となる。また、ステップＳ４２において、スイッチＳｕ又はスイッチＳｄがオフ動作からオン動作に変化時でない場合には（ステップＳ４２のＮ）、変速モードを、変更せず、自動変速モードのままとし（ステップＳ４４）、変速モードの変更処理を終了する。
【００８４】
一方、ステップＳ４１において、スイッチＤがオン動作していないとき（ステップＳ４１のＮ）、停止スイッチＰ、後進スイッチＲ、中立スイッチＮのいずれかがオン動作しているかどうかが判断される（ステップＳ４５）。このとき、スイッチＰ、Ｒ、Ｎのいずれもオン動作していないときには（ステップＳ４５のＮ）、変速モードの変更動作を行わない（ステップＳ４４）。
【００８５】
また、スイッチＰ、Ｒ、Ｎのいずれかがオン動作している場合には（ステップＳ４５のＹ）、変速モードが、自動変速モードにされて、変速制御が行われ（ステップＳ４６）、変速モードの変更処理が終了する。
【００８６】
以上のような自動変速機に対する変速モードの変更制御ロジックとした場合に、変速モードの変更状態と、車両を運転している運転者の心理状態とについて、次に説明する。
【００８７】
運転者は、車両の走行運転を開始するとき、先ず、シフトレバーが、パーキングポジションにあることを確かめ、停止モードスイッチＰがオン動作であるとき、エンジンを始動する。エンジンが始動したならば、シフトレバーを操作して、自動変速モードスイッチＤをオン動作させ、アクセルを踏み込んで、発進させ、さらに、加速運転を行う。電子制御装置は、自動変速モードで、自動変速機をアップシフトし、４速の出力制御を行う。
【００８８】
自動変速運転している途中で、運転者が、例えば、上り坂を走行するため、運転状態を手動変速モードに変更したい場合、シフトレバーをドライブポジションからマニュアルポジションにシフトさせたとき、自動変速モードスイッチＤは、オン動作のままであるが、手動変速モードスイッチＭが故障している場合には、スイッチＭは、オン動作にならない。
【００８９】
しかし、運転者は、スイッチＭの故障を知らないため、レバー操作により手動変速モードに移行したものと思い、レバー操作して、ダウン変速モードにシフトさせる。ところが、電子制御装置では、スイッチＤのオン動作と、ダウン変速要求スイッチＳｄのオン動作とにより、スイッチＭが故障していることを検出し、電子制御装置は、警告を出力し、運転者にそのことを報知する。
【００９０】
電子制御装置がスイッチＭの故障を検出すると、スイッチＳｄのオン動作で、手動変速モードに移行したものとし、例えば、４速から３速へダウンシフトする制御が実行される。運転者は、このダウンシフトが行われたことを体感することで、シフト要求どおりに制御されたことが分かる。そして、このとき、報知により、変速モード変更条件が切り換えられたことを知ることができる。
【００９１】
そのため、従来では、１回のダウン変速要求スイッチのオン動作で上限変速段が１段減少される場合にあっては、運転者は、ダウンシフトしないことに気づき、レバー操作を再度操作し、マニュアルポジションに戻してからダウン変速モードにシフトさせてみるといったレバー操作の繰り返しを行う必要がなくなり、レバー操作系に異常があることを的確に知ることができ、車両の安全運転を向上させることになる。
【００９２】
以上において、本発明の実施形態は、図４に示された自動変速機を搭載した車両の車輪駆動系統と制御系統の構成に適用された場合について説明された。同図に示された自動変速機では、無段変速機が使用されているが、この無段変速機の代わりに、有段変速機が使用される場合もある。本発明は、自動変速機に有段変速機が使用されている場合であっても、自動変速機に無段変速機が使用されている場合と同様に適用される。
【図面の簡単な説明】
【００９３】
【図１】本実施形態の自動変速機の制御装置における変速モードスイッチのＯＦＦ（断線）故障に係る判定動作を説明するフローチャートである。
【図２】本実施形態の自動変速機の制御装置における変速モードスイッチのＯＮ（短絡）故障に係る判定動作を説明するフローチャートである。
【図３】本実施形態の自動変速機の制御装置における自動・手動の変速モードに係る変更動作を説明するフローチャートである。
【図４】自動変速機を搭載した車両の車輪駆動系統と制御系統の構成例を概略ブロックで説明する図である。
【図５】自動変速機を搭載した車両に備えられるシフトレバーの操作位置関係とシフトレバースイッチの配置を説明する図である。
【図６】従来の自動変速機を搭載した車両における自動・手動の変速モードの変更動作を説明する図である。
【符号の説明】
【００９４】
１    エンジン
２    自動変速機
３    ディファレンシャルギア
４、５    電子制御装置
６    エンジン回転数検出器
７    加減速操作装置
８    車速検出器
９    出力回転数検出器
１０    シフト装置
１１    レンジ選択装置
【図１】
2006292022.tif 000003
【図２】
2006292022.tif 000004
【図３】
2006292022.tif 000005
【図４】
2006292022.tif 000006
【図５】
2006292022.tif 000007
【図６】
2006292022.tif 000008